(57)【特許請求の範囲】
【請求項１】
無線通信により少なくとも無線送信装置と組となる表示装置であるか否かを判断するための認識情報信号および映像信号を受信する表示装置であって、
無線で送信される前記認識情報信号および映像信号を受信する無線受信手段と、
前記認識情報信号を検出する認識情報信号検出手段と、
少なくとも前記映像信号に基づいて映像を表示する表示手段と、
信号受信不可である旨を示す表示情報を記憶する記憶手段と、
前記映像信号が正常に受信されない場合、前記表示情報をもととする複数の受信不可情報のうち１つを上記表示手段に表示させる表示制御手段とを有し、
前記表示制御手段は、前記検出手段が前記表示装置に設定されている認識情報信号と異なる他の認識情報信号を検出した場合は、第１の受信不可情報を表示させ、前記他の認識情報信号を検出しない場合は、前記第１の受信不可情報とは異なる第２の受信不可情報を表示させることを特徴とする表示装置。
【請求項２】
前記第１の受信不可情報と前記第２の受信不可情報は、表示形態が異なることを特徴とする請求項１に記載の表示装置。
【請求項３】
前記表示装置に対して操作を行なう操作手段を有し、前記記憶手段が、操作が無効である旨を示す表示情報を記憶しているとき、前記映像信号が正常に受信されない状態で、前記操作手段による操作が行なわれた場合、前記表示制御手段は、該操作を無効にし、前記記憶手段に記憶された前記操作が無効である旨を示す表示情報をもととする複数の操作無効情報のうち１つを表示させることを特徴とする請求項１または２に記載の表示装置。
【請求項４】
前記表示制御手段により表示される前記操作無効情報は、前記認識情報信号検出手段の検出結果に基づいて異なることを特徴とする請求項３に記載の表示装置。
【請求項５】
前記表示制御手段は、前記認識情報信号検出手段が前記表示装置に設定されている認識情報信号と異なる他の認識情報信号を検出した場合は、第１の操作無効情報を表示させ、前記他の認識情報信号を検出しない場合は、前記第１の操作無効情報とは異なる第２の操作無効情報を表示させることを特徴とする請求項４に記載の表示装置。
【請求項６】
前記第１の操作無効情報と前記第２の操作無効情報は、表示形態が異なることを特徴とする請求項５に記載の表示装置。
【請求項７】
無線通信により少なくともシステムと組となる無線送受信システムであるか否かを判断するための認識情報信号および映像信号を送受信する無線送受信システムであって、
前記認識情報信号および映像信号を無線で送信する無線送信装置と、
前記認識情報信号および前記映像信号を受信する無線受信手段と、前記認識情報信号を検出する認識情報信号検出手段と、少なくとも前記映像信号に基づいて映像を表示する表示手段と、
信号受信不可である旨を示す表示情報を記憶する記憶手段と、前記映像信号が正常に受信されない場合、前記表示情報をもととする複数の受信不可情報のうち１つを表示させる表示制御手段とを備えた表示装置とを有し、
前記表示制御手段は、前記検出手段が前記無線送信装置から送信される認識情報信号と異なる他の認識情報信号を検出した場合は、第１の受信不可情報を表示させ、前記他の認識情報信号を検出しない場合は、前記第１の受信不可情報とは異なる第２の受信不可情報を表示させることを特徴とする無線送受信システム。
【請求項８】
前記第１の受信不可情報と前記第２の受信不可情報は、表示形態が異なることを特徴とする請求項７に記載の無線送受信システム。
【請求項９】
前記表示装置に対して操作を行なう操作手段を有し、前記記憶手段が、操作が無効である旨を示す表示情報を記憶しているとき、前記映像信号が正常に受信されない状態で、前記操作手段による操作が行なわれた場合、前記表示制御手段は、該操作を無効にし、前記記憶手段に記憶された前記操作が無効である旨を示す表示情報をもととする複数の操作無効情報のうち１つを表示させることを特徴とする請求項７または８に記載の無線送受信システム。
【請求項１０】
前記表示制御手段により表示される前記操作無効情報は、前記認識情報信号検出手段の検出結果に基づいて異なることを特徴とする請求項９に記載の無線送受信システム。
【請求項１１】
前記表示制御手段は、前記認識情報信号検出手段が前記無線送信装置から送信される認識情報信号と異なる他の認識情報信号を検出した場合は第１の操作無効情報を表示させ、前記他の認識情報信号を検出しない場合は、前記第１の操作無効情報とは異なる第２の操作無効情報を表示させることを特徴とする請求項１０に記載の無線送受信システム。
【請求項１２】
前記第１の操作無効情報と前記第２の操作無効情報は、表示形態が異なることを特徴とする請求項１１に記載の無線送受信システム。
【発明の詳細な説明】
【技術分野】
【０００１】  本発明は、無線ＬＡＮ等の無線通信により映像信号の送受信を行なう表示装置および無線送受信システム、表示方法、表示制御プログラムおよび記録媒体に関する。
【背景技術】
【０００２】  近年、無線伝送された映像信号を受信して映像を表示する表示装置や送受信システムが開発されている。しかし、電波が正常に届かずに、映像の品質が劣化したり全く表示されない場合があり、このような映像は視聴者に不快感を与えるものである。そこで、品質劣化の著しい映像は表示しないようにして、代わりに受信不能である旨の情報を含む映像を表示させる表示装置が知られている（特許文献１：特開平４−３５２５１９号公報）。【０００３】  しかしながら、特許文献１に記載の装置は、受信した映像信号の信号レベルを所定レベルと比較して、所定レベル未満であれば受信した映像の表示を行なわずに受信不能である旨の情報を含む映像を表示させる構成である。ところで、映像信号が正常に受信できない要因としては、妨害電波が存在したり、他の無線通信機器が存在したり、通信可能距離の範囲外であったり、様々な要因が考えられる。特許文献１の装置では、どのような要因であっても、受信不能である旨の情報を含む映像として全て同じ映像を表示させているため、視聴者は受信不能であることはわかっても、その要因がわからないため、対処方法を検討することはできなかった。ここで言う妨害とは、ある機器に対して故意に施している様子ではなく、他の同じ周波数を用いる機器との電波干渉を示すものである。
【発明の開示】
【０００４】  本発明は、上述のような問題点に鑑みなされたものであり、映像信号が正常に受信できない場合、その要因が、他の無線通信機器の存在によるものか否かを認識することができる表示を行なう表示装置および無線送受信システム、表示方法、表示制御プログラムおよび記録媒体を提供するものである。
【０００５】  すなわち、本発明の表示装置は、無線通信により少なくとも無線送信装置との同一性を判断するための認識情報信号と、映像信号とを受信する表示装置であって、少なくとも映像信号を表示する表示手段と、無線で送信される、少なくとも認識情報信号および映像信号を受信する無線受信手段と、前記無線受信手段によって受信された信号から前記認識情報信号を検出する認識情報信号検出手段と、前記認識情報信号検出手段によって検出された認識情報信号に応じて信号受信不可の表示形態を変更して表示させる信号を出力する表示制御手段とを有することを特徴としている。
【０００６】  これにより、映像信号が正常に受信できない場合、その要因が、他の無線通信機器の存在によるものか否かを認識することができる表示を行なうことが可能となるので、信号の受信不可の理由を容易に把握することができるという効果を奏する。
【図面の簡単な説明】
【０００７】
【図１】本発明の実施の形態にかかる表示装置に備えられたマイコンの概略ブロック図である。
【図２】本発明の実施の形態にかかる無線送受信システムのブロック図である。
【図３】本発明の実施の形態にかかる無線送受信システムの信号受信不可の場合における表示制御に関するフローチャートである。
【図４】「信号受信不可」である旨の一表示画面を示す図である。
【図５】「操作は無効です」という旨の一表示画面を示す図である。
【図６】本発明の実施の形態にかかる他の無線送受信システムのブロック図である。
【発明を実施するための最良の形態】
【０００８】  本発明の一実施の形態について説明すれば、以下の通りである。なお、本発明はこれら実施の形態に何ら限定されるものではない。【０００９】  図２は、本発明の実施の形態にかかる無線送受信システムのブロック図である。すなわち、本無線送受信システムは、図２に示すように、無線送信装置Ａと表示装置Ｂとで構成されている。【００１０】  無線送信装置Ａは、放送信号を受信する受信手段１、受信した放送信号の映像信号を信号処理する映像処理手段２、受信した放送信号の音声信号を信号処理する音声処理手段３、映像処理手段２および音声処理手段３で処理された信号を圧縮するエンコーダ４、エンコーダ４で圧縮された信号を設定された搬送周波数に重畳して表示装置Ｂへ送信する無線送受信手段５、これらの処理を適切に行なうためのマイコン６、各種設定値等を記憶保持するためのＲＯＭ７等から構成されている。また、ＲＯＭ７に記憶された設定値をマイコン６を介して変更するための手段として、リモコン（リモートコントロール装置）１７からの所定信号を受光するための受光手段８を設けることもできる。なお、図示はしていないが、受信手段１は、放送信号だけではなく、外部からのビデオ信号等も受信することができるものである。【００１１】  表示装置Ｂは、無線送信装置Ａの無線送受信手段５から送信される信号を受信する無線送受信手段９、無線送受信手段９で受信した信号を伸長するデコーダ１０、デコーダ１０で伸長された映像信号を信号処理する映像処理手段１１、映像処理手段１１で信号処理された映像を表示する表示手段１２、デコーダ１０で伸長された音声信号を信号処理する音声処理手段１３、音声処理手段１３で信号処理された音声を出力するスピーカ１４、これらの処理を適切に行なうためのマイコン１５、各種設定値等を記憶保持するためのＲＯＭ１６等から構成されている。また、ＲＯＭ１６に記憶された設定値をマイコン１５を介して変更するための手段として、リモコン１７からの所定信号を受光するための受光手段１８を設けて各種制御を行なうことができる。【００１２】  なお、無線送信装置Ａには、受光手段８が設けられているが、リモコン１７からの信号が、表示装置Ｂの受光手段１８およびマイコン１５を介して無線送受信手段９から無線送信装置Ａへ無線送信してマイコン６に伝送する構成にすることもできる。この構成にすれば、無線送信装置Ａの受光手段８を不要とすることもできる。【００１３】  本発明における無線通信は、例えば、無線ＬＡＮの国際標準規格であるＩＥＥＥ８０２．１１ｂ等により定められた通信方式を採用することができる。ＩＥＥＥ８０２．１１ｂでは、２．４ＧＨｚ帯（約２．４〜２．５ＧＨｚ）の周波数帯域が使用され、特定した相手との接続を可能とするためのＳＳＩＤという認識情報信号を利用することができる。ＳＳＩＤとは、送信部と受信部で同一の認識情報信号を設定しておくことにより、設定した認識情報信号を送信する送信部からの信号を受信可能とするものである。【００１４】  なお、ＳＳＩＤ以外の認識情報信号であっても、認識情報信号を利用することができる無線通信方式であれば、他の無線通信方式でも勿論採用することができるものである。【００１５】  例えば��他の無線通信方式としては、同じ２．４ＧＨｚ帯域を用いてＩＥＥＥ８０２．１１ｂ（最大１１Ｍｂｐｓ）よりも高速通信が可能なＩＥＥＥ８０２．１１ｇ（最大５０Ｍｂｐｓ）がある。また、他の周波数帯域を用いた無線通信方式としては、５．２ＧＨｚ帯域を通信周波数とするＩＥＥＥ８０２．１１ａがある。さらに、その他の無線通信方式としては、５．２ＧＨｚ帯域を用いたＨｉＳＷＡＮがあり、ＰＣ等の商品分野においては２．４５ＧＨｚ帯であって１〜２Ｍｂｐｓの通信速度の製法を有したＢｌｕｅｔｏｏｔｈなどがある。これらの通信規格に対しても本発明を適用することができ、他の同じ通信帯域を用いた電子機器による妨害電波を検出した際には同様の効果を奏し得る。【００１６】  表示装置Ｂでは、例えば、マイコン１５において、受信した映像信号のレベルや乱れ等を検出して、正常な受信が行なわれていない信号受信不可状態であるか否かが判断される。更に、マイコン１５では、受信した認識情報信号を検出して、ＲＯＭ１６等に設定されている認識情報信号と同一か否かを判別する。従って、異なる認識情報信号の存在が判別された場合には、異なる認識情報信号を発信する他の通信機器が近くに存在するために妨害電波が発生していることを認識することができる。また、信号受信不可である旨を示す文字パターン等の表示情報は、例えばＲＯＭ１６等の記憶手段に記憶されており、マイコン１５は記憶されている表示情報をもととする複数の受信不可情報のうち１つを表示させるように制御を行なう。【００１７】  すなわち、上記マイコン１５は、図１に示すように、上記映像処理手段１１に対して表示制御するための出力信号を生成する表示制御手段３１を有している。この表示制御手段３１は、マイコン１５内の信号受信不可判断手段３２、認識情報検出手段３３からの信号に基づいて各種の表示制御用の信号を出力するようになっている。【００１８】  上記信号受信不可判断手段３２は、受信した映像信号のレベルや乱れ等を検出して、正常な受信が行なわれていない信号受信不可状態であるか否かを判断する。このときの判断には、例えばＲＯＭ１６に予め記憶された信号レベルの閾値が使用される。つまり、信号受信不可判断手段３２は、受信した受信信号の信号レベルが、ＲＯＭ１６に記憶された信号レベルの閾値を越えているか否かを判断し、越えていない場合に信号受信不可であると判断する。そして、表示制御手段３１に対して、信号受信不可である旨を示す信号を出力する。【００１９】  また、上記認識情報検出手段３３は、受信した受信信号から認識情報信号を検出して、ＲＯＭ１６等に設定されている認識情報信号と同一か否かを判別する。そして、検出した認識情報信号が、設定された認識情報信号と異なる場合には、異なる認識情報信号を発信する他の通信機器が近くに存在することを示す信号を表示制御手段３１に出力する。【００２０】  このように、上記表示制御手段３１は、信号受信不可判断手段３２、認識情報検出手段３３、妨害信号検出手段３４からのそれぞれの信号に応じた表示画面を作成するようになっている。【００２１】  なお、上記表示制御手段３１は、例えばＲＯＭ１６等の記憶手段に記憶された信号受信不可である旨を示す文字パタ��ン等の表示情報をもととする複数の受信不可情報のうち１つを抽出し、抽出した受信不可情報を表示させる旨の信号を映像処理手段１１に送る。この場合の受信不可情報を示す具体的な表示画面については後述する。【００２２】  本発明の、受信不可の場合における表示制御について、図１および図２に示すブロック図、図３に示すフローチャートに基づいて説明する。【００２３】  まず、無線送信装置Ａから送信される映像信号が、表示装置Ｂで正常に受信ができなかった場合（Ｓ１）、表示装置Ｂでは受信した映像信号に基づく表示を中断する（Ｓ２）。ここでは、図１に示す信号受信不可判断手段３２によって受信信号が不可であるか否かを判断する。これに伴って、表示制御手段３１は、映像処理手段１３に対して表示を中断するための制御信号を送出する。【００２４】  次に、マイコン１５において、設定されている認識情報信号以外の他の認識情報信号が受信されているか否かが検出される（Ｓ３）。ここでは、受信不可の状態で、さらに、図１に示す認識情報検出手段３３によって他の認識情報信号の有無が検出される。【００２５】  上記のＳ３において、他の認識情報信号が検出されていない場合は、受信不可の要因が、他の認識情報信号を送信する通信機器の存在によるものではないと判断され、「信号受信不可」の旨の表示（図４では、「ＳＩＧＮＡＬ  ＣＯＵＬＤ  ＮＯＴ  ＢＥ  ＲＥＣＥＩＶＥＤ」の表示例を示す）を例えば赤色により表示手段１２に表示する（Ｓ４）。ここでは、認識情報検出手段３２からの検出信号に基づいて、上記表示制御手段３１が他の認識情報信号を検出したが、信号受信不可であるの旨を知らせるための表示（赤色で図４に示す内容の表示）を表示手段１２に行わせるための制御信号を映像処理手段１１に送る。【００２６】  一方、上記のＳ３において、他の認識情報信号が検出された場合は、受信不可の要因が、他の認識情報信号を送信する通信機器からの妨害電波によるものと判断され、図４に示すような「信号受信不可」の旨の表示を例えば黄色により表示する（Ｓ５）。ここでは、認識情報検出手段３３からの検出信号に基づいて、上記表示制御手段３１が他の認識情報信号を検出したが、信号受信不可であるの旨を知らせるための表示（黄色で図４に示す内容の表示）を表示手段１２に行わせるための制御信号を映像処理手段１１に送る。【００２７】  このように、受信不可の際の表示の色を変えることにより、ユーザーに対して受信不可の要因も認識させることができる。勿論、表示の色はこれに限定されるものではなく、また、色を変える他に、字体やサイズ等の表示形態を変えて表示してもよい。また、「信号受信不可」の旨の表示は、表示手段１２ではなく、他の表示手段（図示せず）に表示させるように構成してもよい。この他の表示手段に表示させる点については後述する。【００２８】  なお、他の認識情報信号が検出された場合は、例えば、「他のＳＳ無線発信機があるため信号受信不可」という旨の表示内容に変えて表示しても勿論かまわない。ただし、表示内容を変える場合は、異なった表示内容を記憶しておくためのメモリ容量が必要となるが、色、字体、サイズ等の表示形態を変えるだけであれば、マイコン１５等のキャラクタジェ���レータで、表示の色、字体またはサイズに関する設定値を変更するだけで対処可能なため、新たにメモリ容量を必要とすることがないという利点がある。【００２９】  次に、信号受信不可の状態の時に、リモコン１７等の操作手段により、選局等の操作が行なわれた場合について説明する。【００３０】  上記のＳ４のように、他の認識情報信号が検出されていない場合に、ユーザによって選局キー等が押され操作が行なわれた時は（Ｓ６）、該操作を無効にして、例えば、「信号受信不可」の旨の表示と併せて「操作は無効です」という旨の表示（図５では、「ＳＩＧＮＡＬ  ＣＯＵＬＤ  ＮＯＴ  ＢＥ  ＲＥＣＥＩＶＥＤ」に加えて「ＴＨＩＳ  ＯＰＥＲＡＴＩＯＮ  ＩＳ  ＩＮＶＡＬＩＤ」を表示させた例を示す）を赤色により表示する（Ｓ７）。【００３１】  一方、上記のＳ６のように、他の認識情報信号が検出された場合に、選局キー等が押され操作が行なわれた時は（Ｓ８）、該操作を無効にして、「信号受信不可」の旨の表示と併せて「操作は無効です」という旨の表示（図５では、「ＳＩＧＮＡＬ  ＣＯＵＬＤ  ＮＯＴ  ＢＥ  ＲＥＣＥＩＶＥＤ」に加えて「ＴＨＩＳ  ＯＰＥＲＡＴＩＯＮ  ＩＳ  ＩＮＶＡＬＩＤ」を表示させた例を示す）を黄色により表示する（Ｓ９）。【００３２】  このように、操作を無効にした場合の表示も、「信号受信不可」の旨の表示と同様に、受信不可の要因に応じて表示形態を変えることにより、ユーザに対して操作が無効となった要因も併せて認識させることができるものである。また、受信不可の要因に応じて、表示内容を変えてもよい。なお、図５のように、「信号受信不可」の旨の表示と併せて行なう場合は、「信号受信不可」の旨の表示の表示形態や表示内容で要因がわかるため、「操作は無効です」という旨の表示の表示形態や表示内容は必ずしも変えなくてもよい。また、「操作は無効です」という旨を示す文字パターン等の表示情報も、「信号受信不可」の旨を示す表示情報と同様にＲＯＭ１６等の記憶手段に記憶されているものである。勿論、それぞれの表示情報は、別々の記憶手段に記憶されていてもかまわない。【００３３】  また、図５では、「信号受信不可」の旨の表示と「操作は無効です」という旨の表示を併せて表示させているが、操作が行なわれた時に所定時間だけ「操作は無効です」という旨の表示を行い、その後は図４に示すような「信号受信不可」の旨の表示に戻すような構成にしてもよい。【００３４】  なお、無効にされる操作としては、例えば、選局操作のように表示装置Ｂから無線送信装置Ａへ送信する必要のある操作等が該当する。【００３５】  以上のように、本実施の形態では、映像信号の受信が不可になったときの情報表示を行うために表示手段１２を使用している。しかしながら、映像信号の受信が不可になったときの情報表示は、映像を表示する表示手段１２とは別の表示手段によって行ってもよい。【００３６】  すなわち、このような妨害信号情報や、他のＳＳ無線通信機器の存在を報知する情報を表示する手段として、表示手段１２に出力するだけに留まらず、例えば通常受信した画像情報を接続された外部の表示機器に出力するための出力端子等に出力制御することにより、他の表示機器の画面上に出力構成によって��妨害信号情報や、他のＳＳ無線通信機器の存在を報知する情報をユーザに通知する手段であってもよい。【００３７】  このような手段における具体的な説明を図６に示すブロック図を参照しながら、以下に説明する。【００３８】  図６は、表示ユニット２００において、表示手段１２とは別に映像の出力端子２０を備えた無線送受信システムのブロック図を示している。ここで、映像伝送ユニット１００は、図２に示す無線送受信システムの無線送信装置Ａと同じ構成であるので、詳細な説明は省略する。また、表示ユニット２００においても、上述した出力端子２０が設けられた以外は、図２に示す無線送受信システムの表示装置Ｂと同じ構成であるので、詳細な説明は省略する。【００３９】  図６に示す無線送受信システムでは、映像伝送ユニット１００の無線送受信手段５、または、表示ユニット２００の無線送受信手段９によって他のＳＳ無線機器の存在もしくは妨害電波を検出した場合、表示ユニット２００側のマイコン１５がＲＯＭ１６から妨害信号情報もしくは他のＳＳ無線通信機器の存在を報知する情報を読み出して、この各種情報を表示ユニット２００の出力端子２０に例えば他の画像信号（この場合、正確に表示されない受信した映像信号に代えて出力された黒画面などの単一パターン信号）に重ねて情報表示処理を行うように制御する。【００４０】  つまり、表示ユニット２００におけるマイコン１５内の表示制御手段３１（図１）は、信号受信不可情報を表示手段１２とは別の表示手段に表示させるために、映像処理手段１１に制御信号を出力するのではなく、出力端子２０に制御信号を出力するようになっている。【００４１】  このような構成により、視聴に耐えられない画像をユーザに提供しないようにすることと同時にユーザに提供したい情報を、妨害電波の存在に起因した要因か他のＳＳ無線の存在に起因した要因かなどの理由もしくは状況に応じて、表示手段を変えることにより、的確にユーザおよびサービスマンに提供することができる。【００４２】  以上のように、上記構成の表示装置によれば、映像信号が正常に受信できない場合、その要因が、他の無線通信機器の存在によるものか否かを認識することができる表示を行なうことが可能なので、受信不可の場合にどのように対処すべきかを簡単に把握することができる。【００４３】  本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。【００４４】  なお、上記実施形態の表示装置の各部や各処理ステップは、ＣＰＵなどの演算手段が、ＲＯＭ（Ｒｅａｄ  Ｏｎｌｙ  Ｍｅｍｏｒｙ）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態の表示装置の各種機能および各種処理を実現することができる。また、上記プログラムをリムーバブルな記録媒体に記録することにより、任意のコンピュータ上で上記の各種機能および各種処理を実現することができる。【００４５】  この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。【００４６】  また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。【００４７】  また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュＲＯＭ等による半導体メモリを含めた固定的にプログラムを担持する記録媒体等がある。【００４８】  また、インターネットを含む通信ネットワークを接続可能なシステム構成であれば、通信ネットワークからプログラムをダウンロードするように流動的にプログラムを担持する記録媒体であることが好ましい。【００４９】  さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【００５０】  本発明は、無線送受信システムにおいて、信号の受信不可の理由を判別することが可能であるので、無線信号の送受信が可能である機器一般に利用可能である。
【図１】
0004180602.tif 000002
【図２】
0004180602.tif 000003
【図３】
0004180602.tif 000004
【図４】
0004180602.tif 000005
【図５】
0004180602.tif 000006
【図６】
0004180602.tif 000007